(57)【特許請求の範囲】
【請求項１】
電力制御アルゴリズムを用いる移動無線通信システムの性能を改善するための方法であって、
伝送中断後に伝送が再開されたかをチェックするステップ（１５）と、
伝送中断後に伝送が再開されたならば、修正された電力制御ステップサイズを用いて前記電力制御アルゴリズムを所与の持続時間実施するステップであって、前記修正された電力制御ステップサイズおよび前記所与の持続時間は、電力制御に対する前記伝送中断の影響を補償するように決定されている、前記実施するステップ（１６、１８）とを含む、方法。
【請求項２】
前記修正された電力制御ステップサイズが、増大した電力制御ステップサイズである、請求項１に記載の方法。
【請求項３】
前記修正された電力制御ステップサイズおよび前記所与の持続時間が、予め決定された値を有する、請求項１または２に記載の方法。
【請求項４】
所与の条件が満足されたときに、前記所与の持続時間が経過したと決定される、請求項１から３のいずれか一項に記載の方法。
【請求項５】
前記所与の条件が、前記修正された電力制御ステップサイズを用いた連続する電力制御結果に基づいて満足されるように決定される、請求項４に記載の方法。
【請求項６】
前記所与の条件が、前記修正された電力制御ステップサイズを用いて得られた２つの連続する電力制御コマンドが逆であることである、請求項５に記載の方法。
【請求項７】
前記修正された電力制御ステップサイズおよび前記所与の持続時間が、前記伝送中断前の受信信号電力の変動が最大であれば、前記修正された電力制御ステップサイズおよび前記所与の持続時間も最大とし、また逆の場合も同様とするように決定される、請求項１から３のいずれか一項に記載の方法。
【請求項８】
前記電力制御が、前記移動無線通信システムのアップリンク伝送方向で実行される、請求項１から７のいずれか一項に記載の方法。
【請求項９】
前記電力制御が、前記移動無線通信システムのダウンリンク伝送方向で実行される、請求項１から７のいずれか一項に記載の方法。
【請求項１０】
前記移動無線通信システムが、ＣＤＭＡタイプである、請求項１から９のいずれか一項に記載の方法。
【請求項１１】
電力制御アルゴリズムを実行するための手段（４１）と、
対応する電力制御コマンド（Ｃ１）を移動局（４３）に送信するための手段（４２）とを備え、
電力制御アルゴリズムを実行するための前記手段が、
伝送中断後に伝送が再開されたかをチェックするための手段と、
伝送中断後に伝送が再開されたならば、修正された電力制御ステップサイズを用いて前記電力制御アルゴリズムを所与の持続時間実施するための手段であって、前記修正された電力制御ステップサイズおよび前記所与の持続時間は、電力制御に対する前記伝送中断の影響を補償するように決定されている、前記実施するための手段とを含む、移動無線通信ネットワークエンティティ（４０）。
【請求項１２】
前記修正された電力制御ステップサイズが、増大した電力制御ステップサイズである、請求項１１に記載の移動無線通信ネットワークエンティティ（４０）。
【請求項１３】
前記修正された電力制御ステップサイズおよび前記所与の持続時間が、予め決定された値を有する、請求項１１または１２に記載の移動無線通信ネットワークエンティティ（４０）。
【請求項１４】
所与の条件が満足されたときに、前記所与の持続時間が経過したと決定される、請求項１１から１３のいずれか一項に記載の移動無線通信ネットワークエンティティ（４０）。
【請求項１５】
前記所与の条件が、前記修正された電力制御ステップサイズを用いた連続する電力制御結果に基づいて満足されるように決定される、請求項１４に記載の移動無線通信ネットワークエンティティ（４０）。
【請求項１６】
前記所与の条件が、前記修正された電力制御ステップサイズを用いて得られた２つの連続する電力制御コマンドが逆であることである、請求項１５に記載の移動無線通信ネットワークエンティティ（４０）。
【請求項１７】
前記修正された電力制御ステップサイズおよび前記所与の持続時間が、前記伝送中断前の受信信号電力の変動が最大であれば、前記修正された電力制御ステップサイズおよび前記所与の持続時間も最大とし、また逆の場合も同様とするように決定される、請求項１１から１３のいずれか一項に記載の移動無線通信ネットワークエンティティ（４０）。
【請求項１８】
前記電力制御が、アップリンク伝送方向で実行される、請求項１１から１７のいずれか一項に記載の移動無線通信ネットワークエンティティ（４０）。
【請求項１９】
前記電力制御が、ダウンリンク伝送方向で実行される、請求項１１から１７のいずれか一項に記載の移動無線通信ネットワークエンティティ（４０）。
【請求項２０】
ＣＤＭＡタイプの移動無線通信システムのための、請求項１１から１９のいずれか一項に記載の移動無線通信ネットワークエンティティ（４０）。
【請求項２１】
移動無線通信ネットワークエンティティ（４０’）から電力制御コマンド（Ｃ’１）を受信するための手段（４４’）と、
電力制御アルゴリズムを実行するための手段とを備え、
電力制御アルゴリズムを実行するための前記手段が、
伝送中断後に伝送が再開されたかをチェックするための手段と、
伝送中断後に伝送が再開されたならば、修正された電力制御ステップサイズを用いて前記電力制御アルゴリズムを所与の持続時間実施するための手段であって、前記修正された電力制御ステップサイズおよび前記所与の持続時間は、電力制御に対する前記伝送中断の影響を補償するように決定されている、前記実施するための手段とを含む、移動局（４３’）。
【請求項２２】
前記修正された電力制御ステップサイズが、増大した電力制御ステップサイズである、請求項２１に記載の移動局（４３’）。
【請求項２３】
前記修正された電力制御ステップサイズおよび前記所与の持続時間が、予め決定された値を有する、請求項２１または２２に記載の移動局（４３’）。
【請求項２４】
所与の条件が満足されたときに、前記所与の持続時間が経過したと決定される、請求項２１から２３のいずれか一項に記載の移動局（４３’）。
【請求項２５】
前記所与の条件が、前記修正された電力制御ステップサイズを用いた連続する電力制御結果に基づいて満足されるように決定される、請求項２４に記載の移動局（４３’）。
【請求項２６】
前記所与の条件が、前記修正された電力制御ステップサイズを用いて得られた２つの連続する電力制御コマンドが逆であることである、請求項２５に記載の移動局（４３’）。
【請求項２７】
前記修正された電力制御ステップサイズおよび前記所与の持続時間が、前記伝送中断前の受信信号電力の変動が最大であれば、前記修正された電力制御ステップサイズおよび前記所与の持続時間も最大とし、また逆の場合も同様とするように決定される、請求項２１から２３のいずれか一項に記載の移動局（４３’）。
【請求項２８】
前記電力制御が、アップリンク伝送方向で実行される、請求項２１から２７のいずれか一項に記載の移動局（４３’）。
【請求項２９】
前記電力制御が、ダウンリンク伝送方向で実行される、請求項２１から２７のいずれか一項に記載の移動局（４３’）。
【請求項３０】
ＣＤＭＡタイプの移動無線通信システムのための、請求項２１から２９のいずれか一項に記載の移動局（４３’）。
【請求項３１】
電力制御アルゴリズムを実行するための手段（４６）と、
対応する電力制御コマンド（Ｃ２）を移動無線通信ネットワークエンティティ（４８）に送信するための手段（４７）とを備え、
電力制御アルゴリズムを実行するための前記手段が、
伝送中断後に伝送が再開されたかをチェックするための手段と、
伝送中断後に伝送が再開されたならば、修正された電力制御ステップサイズを用いて前記電力制御アルゴリズムを所与の持続時間実施するための手段であって、前記修正された電力制御ステップサイズおよび前記所与の持続時間は、電力制御に対する前記伝送中断の影響を補償するように決定されている、前記実施するための手段とを含む、移動局（４５）。
【請求項３２】
前記修正された電力制御ステップサイズが、増大した電力制御ステップサイズである、請求項３１に記載の移動局（４５）。
【請求項３３】
前記修正された電力制御ステップサイズおよび前記所与の持続時間が、予め決定された値を有する、請求項３１または３２に記載の移動局（４５）。
【請求項３４】
所与の条件が満足されたときに、前記所与の持続時間が経過したと決定される、請求項３１から３３のいずれか一項に記載の移動局（４５）。
【請求項３５】
前記所与の条件が、前記修正された電力制御ステップサイズを用いた連続する電力制御結果に基づいて満足されるように決定される、請求項３４に記載の移動局（４５）。
【請求項３６】
前記所与の条件が、前記修正された電力制御ステップサイズを用いて得られた２つの連続する電力制御コマンドが逆であることである、請求項３５に記載の移動局（４５）。
【請求項３７】
前記修正された電力制御ステップサイズおよび前記所与の持続時間が、前記伝送中断前の受信信号電力の変動が最大であれば、前記修正された電力制御ステップサイズおよび前記所与の持続時間も最大とし、また逆の場合も同様とするように決定される、請求項３１から３３のいずれか一項に記載の移動局（４５）。
【請求項３８】
前記電力制御が、アップリンク伝送方向で実行される、請求項３１から３７のいずれか一項に記載の移動局（４５）。
【請求項３９】
前記電力制御が、ダウンリンク伝送方向で実行される、請求項３１から３７のいずれか一項に記載の移動局（４５）。
【請求項４０】
ＣＤＭＡタイプの移動無線通信システムのための、請求項３１から３９のいずれか一項に記載の移動局（４５）。
【請求項４１】
移動局（４５’）から電力制御コマンド（Ｃ’２）を受信するための手段（４９’）と、
電力制御アルゴリズムを実行するための手段とを備え、
電力制御アルゴリズムを実行するための前記手段が、
伝送中断後に伝送が再開されたかをチェックするための手段と、
伝送中断後に伝送が再開されたならば、修正された電力制御ステップサイズを用いて前記電力制御アルゴリズムを所与の持続時間実施するための手段であって、前記修正された電力制御ステップサイズおよび前記所与の持続時間は、電力制御に対する前記伝送中断の影響を補償するように決定されている、前記実施するための手段とを含む、移動ネットワークエンティティ（４８’）。
【請求項４２】
前記修正された電力制御ステップサイズが、増大した電力制御ステップサイズである、請求項４１に記載の移動ネットワークエンティティ（４８’）。
【請求項４３】
前記修正された電力制御ステップサイズおよび前記所与の持続時間が、予め決定された値を有する、請求項４１または４２に記載の移動ネットワークエンティティ（４８’）。
【請求項４４】
所与の条件が満足されたときに、前記所与の持続時間が経過したと決定される、請求項４１から４３のいずれか一項に記載の移動ネットワークエンティティ（４８’）。
【請求項４５】
前記所与の条件が、前記修正された電力制御ステップサイズを用いた連続する電力制御結果に基づいて満足されるように決定される、請求項４４に記載の移動ネットワークエンティティ（４８’）。
【請求項４６】
前記所与の条件が、前記修正された電力制御ステップサイズを用いて得られた２つの連続する電力制御コマンドが逆であることである、請求項４５に記載の移動ネットワークエンティティ（４８’）。
【請求項４７】
前記修正された電力制御ステップサイズおよび前記所与の持続時間が、前記伝送中断前の受信信号電力の変動が最大であれば、前記修正された電力制御ステップサイズおよび前記所与の持続時間も最大とし、また逆の場合も同様とするように決定される、請求項４１から４３のいずれか一項に記載の移動ネットワークエンティティ（４８’）。
【請求項４８】
前記電力制御が、アップリンク伝送方向で実行される、請求項４１から４７のいずれか一項に記載の移動ネットワークエンティティ（４８’）。
【請求項４９】
前記電力制御が、ダウンリンク伝送方向で実行される、請求項４１から４７のいずれか一項に記載の移動ネットワークエンティティ（４８’）。
【請求項５０】
ＣＤＭＡタイプの移動無線通信システムのための、請求項４１から４９のいずれか一項に記載の移動ネットワークエンティティ（４８’）。
【発明の詳細な説明】
【０００１】
【発明の属する技術分野】
本発明は、一般に移動無線通信システムに関する。
【０００２】
本発明は、より詳細には、ユーザが移動するにもかかわらず、すなわちそのようなシステム内で固定されているインフラストラクチャに対するそれぞれの位置が連続的に変化するにもかかわらず、（サービス品質、容量等に関して）性能を向上させるようなシステムで用いられる電力制御技法に関する。
【０００３】
【従来の技術】
本発明は、ＣＤＭＡ（符号分割多重アクセス、Ｃｏｄｅ  Ｄｉｖｉｓｉｏｎ  Ｍｕｌｔｉｐｌｅ  Ａｃｃｅｓｓ）タイプの移動無線通信システムに特に適用できる。ＣＤＭＡは、様々な拡散コードを用いて、幾人かのユーザを同時に同一の周波数で動作状態にすることを可能にする多重アクセス技法である。
【０００４】
知られているように、ＣＤＭＡシステムは、２種類の電力制御技法を用いる。すなわち、いわゆる開ループ電力制御技法、およびいわゆる閉ループ電力制御技法（以下「ＣＬＰＣ」ともいう）である。これらの電力制御技法としては、たとえば、アップリンク伝送方向に対するもの、すなわちＭＳ（移動局）からＢＴＳ（基地送受信局）へのものが想起される。開ループ電力制御では、ＭＳの送信電力は、そのＭＳがＢＴＳから受信する電力に基づいて制御される。ＣＬＰＣでは、ＭＳの送信電力は、ＢＴＳの位置で評価されるこのＭＳとＢＴＳの間のリンクの伝送品質に基づいて制御される。
【０００５】
ＭＳとＢＴＳの間のリンクの伝送品質は、ＳＩＲ（信号対妨害比）とも呼ばれる、受信信号電力と妨害電力の比に依存する。ＭＳのＳＩＲが低い場合、換言すれば、他のＭＳの電力の方がこのＭＳの電力よりはるかに大きい場合、このＭＳの性能は劇的に低下する。ＣＬＰＣアルゴリズムにより、各ユーザのＳＩＲをできるだけ一定に保つことが可能になる。
【０００６】
ＣＬＰＣアルゴリズムの原理は、ＢＴＳが各ＭＳからの受信信号のＳＩＲを周期的に評価し、この評価したＳＩＲを目標ＳＩＲ（ＳＩＲｔａｒｇｅｔ）と比較するというものである。評価したＳＩＲが目標ＳＩＲより低い場合、ＢＴＳは、ＭＳがその送信電力を上昇させるようにコマンドをＭＳに送信する。逆の場合には、ＢＴＳは、ＭＳがその送信電力を低下させるようにコマンドをＭＳに送信する。目標ＳＩＲは、必要とするサービス品質に応じてＢＴＳにより選択される。
【０００７】
効率的であり、かつＳＩＲの変動に対しできるだけ忠実に追随するために、特に環境が高速に変化する場合では、そのＣＬＰＣは敏速である必要がある。たとえば、ＵＭＴＳ（ユニバーサル移動通信システム、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）などの第３世代のシステムでは、電力制御コマンドは、１フレーム内の各スロット毎にＭＳに送信されるのが普通である。（ここでいうスロットとは、こうしたシステムで送信される１つのパケットデータユニット（あるいはフレーム）内の時間の基本単位であり、フレーム持続時間は典型的には１０ｍｓに等しく、またスロット持続時間はフレーム持続時間の１／１６に等しい）。
【０００８】
ここで、伝送が瞬時的に中断を受けざるを得ないような、移動無線通信システムのいくつかの状況がある。
【０００９】
たとえば、ＣＤＭＡシステムでは、ＢＴＳからＭＳへ向かうダウンリンク伝送を瞬時的に中断し、（特にハンドオーバ、特に周波数間ハンドオーバの準備のために、）このＭＳが、そのダウンリンク伝送に使用している周波数以外の周波数に関する測定ができるようにしている。伝送中断を含むこうした伝送モードは、たとえばＵＭＴＳなどの第３世代のシステムでは「スロットモード（ｓｌｏｔｔｅｄ  ｍｏｄｅ）」とも呼ばれる。伝送中断は１フレーム内の幾つかのスロットにわたり継続することがある。こうした伝送中断の間は、ＣＬＰＣが中断される。このため、ＢＴＳは、ＭＳに対しそれ以上電力制御コマンドを送信せず、このＭＳからのアップリンク信号は電力制御されない。アップリンク伝送が同時に中断されることがあるが、いずれの場合でも、結果として、ＣＬＰＣの効率がかなり低下し、このシステムの性能がひどく劣化する。
【００１０】
【発明が解決しようとする課題】
したがって、こうした伝送中断による性能の劣化をできる限り回避することが必要である。
【００１１】
ＤＴＸのための、すなわち不連続伝送のための電力制御方法が、引例ＷＯ９８３６５０８に開示されていることに留意すべきであり、該方法では、電力制御コマンドがＤＴＸ状態に伴って変化し、特に電力制御コマンドの頻度が、あるＤＴＸ状態で低下する。さらに、この引例の中では、電力制御が低速となったために起こるエラーは、高速電力制御ステップのサイズより大きくなるように電力制御ステップのサイズを増加させることにより、補償できることに言及している。しかしこの引例では、電力制御は、このＤＴＸ状態の間は中断されない。ＤＴＸ、すなわち不連続伝送は、伝送モードに従って、システム内部の妨害を低下させるために、たとえば音声動作がない場合など伝送すべき情報がない場合には、無線信号の伝送が停止される伝送モードであることを想起すべきである。
【００１２】
【課題を解決するための手段】
本発明の目的の１つは、電力制御アルゴリズムを用いて移動無線通信システムの性能を改善するための方法であって、この方法が本質的に、
伝送中断後に伝送が再開されたことを検出するステップと、
そのような検出時に、少なくとも１つの修正されたパラメータを用いて前記電力制御アルゴリズムを所与の持続時間実施するステップとを含み、前記少なくとも１つの修正されたパラメータおよび前記所与の持続時間が、電力制御に対する前記伝送中断の影響を補償するように決定される方法である。
【００１３】
本発明の別の目的によれば、前記少なくとも１つの修正されたパラメータが、そのアルゴリズムの電力制御ステップサイズである。
【００１４】
本発明の別の目的によれば、前記少なくとも１つの修正されたパラメータが、増大した電力制御ステップサイズである。
【００１５】
本発明の別の目的によれば、前記少なくとも１つの修正されたパラメータおよび前記所与の持続時間が、予め決定された値を有する。
【００１６】
本発明の別の目的によれば、所与の条件が満足されたときに、前記所与の持続時間が経過したと決定される。
【００１７】
本発明の別の目的によれば、前記所与の条件が、前記少なくとも１つの修正されたパラメータを用いた連続する電力制御結果に基づいて満足されるように決定される。
【００１８】
本発明の別の目的によれば、前記所与の条件が、前記少なくとも１つの修正されたパラメータを用いて得られた２つの連続する電力制御コマンドが逆であることである。
【００１９】
本発明の別の目的によれば、前記少なくとも１つの修正されたパラメータおよび前記所与の持続時間が、前記伝送中断前のある期間の電力制御結果に関する統計に基づいて決定される。
【００２０】
本発明の別の目的によれば、前記電力制御が、前記移動無線通信システムのアップリンク伝送方向で実行される。
【００２１】
本発明の別の目的によれば、前記電力制御が、前記移動無線通信システムのダウンリンク伝送方向で実行される。
【００２２】
本発明の別の目的によれば、前記移動無線通信システムが、ＣＤＭＡタイプである。
【００２３】
本発明の別の目的は、こうした方法を実行するための移動無線通信ネットワークエンティティ（特にＢＴＳなど）である。
【００２４】
本発明の別の目的は、こうした方法を実行するための移動局（ＭＳ）である。
【００２５】
本発明の別の目的によれば、前記方法を前記アップリンク伝送方向で実行するために、移動無線通信ネットワークエンティティは、
前記方法に従って修正された電力制御アルゴリズムを実行するための手段と、
対応する電力制御コマンドを移動局に送信するための手段と、
を備える。
【００２６】
本発明の別の目的によれば、前記方法を前記アップリンク伝送方向で実行するために、移動局は、
前記方法に従って移動無線通信ネットワークエンティティから電力制御コマンドを受信するための手段を備える。
【００２７】
本発明の別の目的によれば、前記方法を前記アップリンク伝送方向で実行するために、移動無線通信ネットワークエンティティは、
前記方法に従って修正されていない電力制御アルゴリズムを実施するための手段と、
対応する電力制御コマンドを移動局に送信するための手段と、
を備える。
【００２８】
本発明の別の目的によれば、前記方法を前記アップリンク伝送方向で実行するために、移動局は、
移動無線通信ネットワークエンティティから電力制御コマンドを受信し、かつ前記方法に従って前記電力制御コマンドを修正するための手段を備える。
【００２９】
本発明の別の目的によれば、前記方法を前記ダウンリンク伝送方向で実行するために、移動局は、
前記方法に従って修正された電力制御アルゴリズムを実行するための手段と、対応する電力制御コマンドを移動無線通信ネットワークエンティティに送信するための手段と、
を備える。
【００３０】
本発明の別の目的によれば、前記方法を前記ダウンリンク伝送方向で実行するために、移動無線通信ネットワークエンティティは、
前記方法に従って移動局から電力制御コマンドを受信するための手段を備える。
【００３１】
本発明の別の目的によれば、前記方法を前記ダウンリンク伝送方向で実行するために、移動局は、
前記方法に従って修正されていない電力制御アルゴリズムを実施するための手段と、
対応する電力制御コマンドを移動無線通信ネットワークエンティティに送信するための手段と、
を備える。
【００３２】
本発明の別の目的によれば、前記方法を前記ダウンリンク伝送方向で実行するために、移動無線通信ネットワークエンティティは、
移動局から電力制御コマンドを受信し、かつ前記方法に従って前記電力制御コマンドを修正するための手段を備える。
【００３３】
本発明に関するこれらおよびその他の目的は、添付の図面と関連させた以下の説明からより明瞭となることであろう。
【００３４】
【発明の実施の形態】
図１に示すように、現行のＣＬＰＣアルゴリズムは、各時刻ｔｉ毎に、以下のステップを含む。
【００３５】
ステップ１０において、ＢＴＳは、期間Ｔの間に平均受信ＳＩＲを評価する。
【００３６】
ステップ１１において、ＢＴＳは、このＳＩＲを目標ＳＩＲ（ＳＩＲｔａｒｇｅｔ）と比較する。
【００３７】
ＳＩＲ＞ＳＩＲｔａｒｇｅｔの場合、ステップ１２において、ＢＴＳは、「低下」電力制御コマンドをＭＳに送信し、ＭＳにその電力をδｄＢだけ低下させる。ここでδは、このアルゴリズムの電力制御ステップサイズである。
【００３８】
ＳＩＲ＜ＳＩＲｔａｒｇｅｔの場合、ステップ１３において、ＢＴＳは、「上昇」電力制御コマンドをＭＳに送信し、ＭＳにその電力をδｄＢだけ上昇させる。
【００３９】
この手順を、ループ１４で示すように、反復期間Ｔで周期的に繰り返す。
【００４０】
このＣＬＰＣアルゴリズムを本発明による方法を含むように修正した一例を、以下に記載する。しかしこの例は限定的なものではなく、本発明は、アルゴリズムの別の例に応用することも十分あり得ることに留意すべきである。
【００４１】
図１および図２で共通にできるステップは、同じ参照符号で示してある。
【００４２】
図２の例では、
ステップ１０において、ＢＴＳは、期間Ｔの間に平均受信ＳＩＲを評価する。
【００４３】
ステップ１１において、ＢＴＳは、このＳＩＲを目標ＳＩＲ（ＳＩＲｔａｒｇｅｔ）と比較する。
【００４４】
ＳＩＲ＞ＳＩＲｔａｒｇｅｔの場合、ステップ１２において、ＢＴＳは、「低下」電力制御コマンドをＭＳに提供し、ＭＳにその電力をδｄＢだけ低下させる。
【００４５】
ＳＩＲ＜ＳＩＲｔａｒｇｅｔの場合、ステップ１３において、ＢＴＳは、「上昇」電力制御コマンドをＭＳに提供し、ＭＳにその電力をδｄＢだけ上昇させる。
【００４６】
さらに、ステップ１５において、伝送中断期間Ｔｉｎｔの後に伝送が再開されているか否かをチェックする、また伝送が再開されている場合は、ステップ１６において、この中断期間Ｔｉｎｔに続く所与の持続時間Ｔ’がいまだ継続中であるか否かをチェックする。
【００４７】
伝送中断後に伝送が再開されていない場合、または伝送が再開されかつ持続時間Ｔ’が経過している場合、ステップ１７において、このＭＳに対する電力制御ステップをδ＝δ１にセットする。ここでδ１は、修正されていない電力制御ステップサイズに相当する。
【００４８】
伝送中断後に伝送を再開している場合で、持続時間Ｔ’がいまだ継続中の場合は、ステップ１８において、このＭＳに対する電力制御ステップをδ＝δ２にセットする。ここでδ２は、修正された電力制御ステップサイズ、特に増大した電力制御ステップサイズに相当する。
【００４９】
こうして決定した電力制御ステップサイズδ１あるいはδ２を、ステップ１９において、ステップ１２または１３において提供された「上昇」あるいは「低下」電力制御コマンドと結合させ、このＭＳに対する最終的な電力制御コマンドを得る。
【００５０】
この手順を、ループ１４’で示すように、期間Ｔで周期的に繰り返す。
【００５１】
ステップ１５から１９の一部あるいは全部が、ＢＴＳ内、あるいはＭＳ内、あるいは一部がＢＴＳ内で一部がＭＳ内で実行されることがある。ＭＳに対し送信すべき対応する電力制御メッセージのサイズの増加を回避するためには、これらのステップはＭＳ内で実行すると有利である。
【００５２】
パラメータＴ’およびδ２は、様々な可能性に従って決定されることがある。
【００５３】
最も簡易な方法では、パラメータＴ’およびδ２は、予め決定された値を有してよい。たとえば、Ｔ’＝Ｔｉｎｔおよびδ２＝２δ１という値が、実用上興味あるものであることが分かっている。
【００５４】
さらに手の込んだ方法では、たとえば、ある条件が満足された時点で、たとえば、電力制御ステップδ２により得られた２つ連続する電力制御コマンドが逆になったときに（すなわち一方が「上昇」電力制御コマンドであり、他方が「低下」電力制御コマンドとなったときに）、持続時間Ｔ’が経過したものと決定することがある。
【００５５】
パラメータＴ’およびδ２はまた、たとえば、前記伝送中断前のある伝送期間の電力制御結果に関する統計に基づいて決定されることがある。たとえば、中断前の受信信号電力の変動が最大であれば、δ２およびＴ’も最大とし、また逆の場合も同様とする。
【００５６】
パラメータＴ’およびδ２を決定するその他の例も可能である。こうした可能な例をすべて網羅したリストをここに掲げることは不可能であると理解されるが、重要なことは、前記少なくとも１つの修正されたパラメータ（この例ではδ２）および前記所与の持続時間（この例ではＴ’）が、電力制御に対する前記伝送中断の影響を補償するように決定されることである。
【００５７】
さらにこれを、アルゴリズムの電力制御ステップサイズ（恐らくこれが実用上最も興味あるパラメータではあるが）以外のアルゴリズムの別のパラメータを取り上げることにより得ることも可能である。
【００５８】
さらに、本発明は、その中断の理由（「スロットモード」「ＤＴＸ」モードなど）を問わず、伝送中断のいかなる事例にも適用される。
【００５９】
本発明はまた、いかなる伝送方向（アップリンクまたはダウンリンク）で実行される電力制御にも適用される。
【００６０】
本発明はまた、その目的として、こうした方法を実行するために移動局（ＭＳ）の他に、移動無線通信ネットワーク（特にＢＴＳなど）向けのエンティティを有する。
【００６１】
本発明は、ダウンリンク伝送方向（ＢＴＳからＭＳへの方向）の他にアップリンク伝送方向（ＭＳからＢＴＳへの方向）への電力制御に用いることができる。
【００６２】
アップリンク方向の場合、
図３に示す、たとえば図２の例で、ステップ１５から１９がＢＴＳ内で実行される場合に対応する第１の実施形態によれば、
たとえば参照符号４０で示す移動無線通信ネットワークエンティティは、（ここでは取り上げないが標準的な）他の標準的手段以外にさらに本質的に、
移動局から受信したＳ１を付した信号から、本方法に従って修正された電力制御アルゴリズムを実行するための手段４１と、
Ｃ１を付した対応する電力制御コマンドを移動局に送信するための手段４２とを備え、
たとえば参照符号４３で示す移動局は、（ここでは取り上げないが標準的な）他の標準的手段以外にさらに本質的に、
電力制御コマンドＣ１を本方法に従って提供される移動無線通信ネットワークエンティティから受信するための手段４４を備える。
【００６３】
図４に示す、たとえば図２の例で、ステップ１５から１９がＭＳ内で実行される場合に対応する第２の実施形態によれば、
たとえば参照符号４０’で示す移動無線通信ネットワークエンティティは、（ここでは取り上げないが標準的な）他の標準的手段以外にさらに本質的に、
移動局から受信したＳ１を付した信号から、本方法に従って修正されていない電力制御アルゴリズムを実施するための手段４１’と、
Ｃ’１を付した対応する電力制御コマンドを移動局に送信するための手段４２’とを備え、
たとえば参照符号４３’で示す移動局は、（ここでは取り上げないが標準的な）他の標準的手段以外にさらに本質的に、
電力制御コマンドＣ’１を移動無線通信ネットワークエンティティから受信し、かつ本方法に従って前記電力制御コマンドを修正するための手段４４’とを備える。
【００６４】
ダウンリンク方向の場合、
図５に示す第１の実施形態によれば、
たとえば参照符号４５で示す移動局は、（ここでは取り上げないが標準的な）他の標準的手段以外にさらに本質的に、
移動ネットワークエンティティから受信したＳ２を付した信号から、本方法に従って修正された電力制御アルゴリズムを実行するための手段４６と、
Ｃ２を付した対応する電力制御コマンドを移動ネットワークエンティティに送信するための手段４７とを備え、
たとえば参照符号４８で示す移動無線通信ネットワークエンティティは、（ここでは取り上げないが標準的な）他の標準的手段以外にさらに本質的に、
電力制御コマンドＣ２を本方法に従って提供される移動局から受信するための手段４９を備える。
【００６５】
図６に示す第１の実施形態によれば、
たとえば参照符号４５’で示す移動局は、（ここでは取り上げないが標準的な）他の標準的手段以外にさらに本質的に、
移動ネットワークエンティティから受信したＳ２を付した信号から、本方法に従って修正されていない電力制御アルゴリズムを実施するための手段４６’と、Ｃ’２を付した対応する電力制御コマンドを移動ネットワークエンティティに送信するための手段４７’とを備え、
たとえば参照符号４８’で示す移動無線通信ネットワークエンティティは、（ここでは取り上げないが標準的な）他の標準的手段以外にさらに本質的に、
電力制御コマンドＣ’２を移動局から受信し、かつ本方法に従って前記電力制御コマンドを修正するための手段４９’を備える。
【００６６】
当業者に対しては、４１、４１’、４４’、４６、４６’、４９’などの手段は、これらの機能により上記で行ってきたほどの完全な開示は必要としない。さらに、４２、４４、４７、４９あるいは４２’、４４’、４７’、４９’などの手段は、この種のシステムで知られるいかなる種類のシグナリング手続き、またはプロトコルに従った動作が可能である。したがってこれらの手段もまた、これらの機能により上記で行ってきたほどの完全な開示は必要としない。
【図面の簡単な説明】
【図１】従来の技術によるＣＬＰＣアルゴリズムを表す図である。
【図２】本発明による方法を含むように修正したＣＬＰＣアルゴリズムを表す図である。
【図３】第１の実施形態による、移動無線通信システムのアップリンク伝送方向で、本発明による方法を実行するため移動ネットワークエンティティおよび移動局内で必要となる手段のタイプを表す図である。
【図４】第２の実施形態による、移動無線通信システムのアップリンク伝送方向で、本発明による方法を実行するため移動ネットワークエンティティおよび移動局内で必要となる手段のタイプを表す図である。
【図５】第１の実施形態による、移動無線通信システムのダウンリンク伝送方向で、本発明による方法を実行するため移動局および移動ネットワークエンティティ内で必要となる手段のタイプを表す図である。
【図６】第２の実施形態による、移動無線通信システムのダウンリンク伝送方向で、本発明による方法を実行するため移動局および移動ネットワークエンティティ内で必要となる手段のタイプを表す図である。
【符号の説明】
４０、４０’  本方法をアップリンク方向で実行する移動無線通信ネットワークエンティティ
４１、４６  修正された電力制御アルゴリズムを実行するための手段
４１’、４６’  修正されていない電力制御アルゴリズムを実施するための手段
４２、４２’  電力制御コマンドを移動局に送信するための手段
４３、４３’  本方法をアップリンク方向で実行する移動局
４４  移動無線通信ネットワークエンティティから電力制御コマンド（Ｃ１）を受信するための手段
４４’  移動局から電力制御コマンド（Ｃ’１）を受信し、かつ前記方法に従って前記電力制御コマンドを修正するための手段
４５、４５’  本方法をダウンリンク方向で実行する移動局
４７、４７’  電力制御コマンドを移動局に送信するための手段
４８、４８’  本方法をダウンリンク方向で実行する移動無線通信ネットワークエンティティ
４９  移動局から電力制御コマンド（Ｃ２）を受信するための手段
４９’  移動局から電力制御コマンド（Ｃ’２）を受信し、かつ前記方法に従って前記電力制御コマンドを修正するための手段
Ｃ１、Ｃ’１、Ｃ２、Ｃ’２  電力制御コマンド
【図１】
0003926965.tif 000002
【図２】
0003926965.tif 000003
【図３】
0003926965.tif 000004
【図４】
0003926965.tif 000005
【図５】
0003926965.tif 000006
【図６】
0003926965.tif 000007